(57)【要約】【課題】簡易な構成ながらも、導光部材による導光を確実に行うことが可能な光電センサを提供する。【解決手段】導光部材３は、前後方向に延び、投光部７１から入射した光をケース２の外部に導く投光側導光部４と、前後方向に延び、且つ、上下方向において投光側導光部４との間に隙間３５を空けて配置され、ケース２の外部から入射した光を受光部７３に導く受光側導光部５と、隙間３５を跨ぐように配置され、投光側導光部４と受光側導光部５とを連結する連結部３１と、を有する。隙間３５は、連結部３１側の端部に、投光部７１側に向かって寸法が漸次減少する縮小部３５ａが設けられている。【選択図】図９
2019160600.tif 000002
【特許請求の範囲】
【請求項１】
内部に収容空間が形成されているケースと、
前記収容空間に配置され、光を出射する投光部と、
前記収容空間に配置され、光を受ける受光部と、
前記収容空間に配置され、一側部が前記投光部及び受光部と対向配置され、他側部が前記ケースの外部に向けられている導光部材と、を備え、
前記導光部材は、
所定方向に延び、前記投光部から入射した光を前記ケースの外部に導く投光側導光部と、
前記所定方向に延び、且つ、前記所定方向と交差する方向において前記投光側導光部との間に隙間を空けて配置され、前記ケースの外部から入射した光を前記受光部に導く受光側導光部と、
前記隙間を跨ぐように配置され、前記投光側導光部と前記受光側導光部とを連結する連結部と、を有し、
前記隙間は、前記連結部側の端部に、前記投光部側に向かって寸法が漸次減少する縮小部が設けられている、光電センサ。
【請求項２】
前記縮小部は、互いに接続された２つの平面により構成されている、請求項１に記載の光電センサ。
【請求項３】
前記２つの平面は、鋭角を成すように互いに接続されている、請求項２に記載の光電センサ。
【発明の詳細な説明】
【技術分野】
【０００１】
本発明は、光電センサに関する。
【背景技術】
【０００２】
検出領域における物体の有無や、物体の表面状態等を検出する機器として、光電センサが用いられている。特許文献１に示される光電センサでは、光を出射する投光部と、光を受ける受光部と、がケースの内部に収容されている。ケースの内部には２つの導光路が形成されており、投光部が出射した光は一方の導光路を通過してケースの外部に出射する。ケースの外部から入射する光は、他方の導光路を通過して受光部に至る。
【０００３】
各導光路に導光部材が配置された光電センサも知られている。導光部材は、その内部に入射させた光を、境界面において反射させながら導く。このような導光部材を用いることにより、ケースの外部に出射する光の量や、ケースの外部から受光部に至る光の量を増加させ、物体の検出精度を向上させることが可能になる。
【先行技術文献】
【特許文献】
【０００４】
【特許文献１】特開２０１３−２３９５７８号公報
【発明の概要】
【発明が解決しようとする課題】
【０００５】
光電センサに用いられる部品の数を抑制するため、２つの導光路における導光を単一の導光部材により行う光電センサも知られている。しかしながら、このような光電センサは、導光部材の形状が複雑になり、導光部材の内部で光が無為に反射し、反射光が受光部に到達してしまい、誤検出を招くおそれがあった。
【０００６】
本発明はこのような課題に鑑みてなされたものであり、簡易な構成ながらも、導光部材による導光を確実に行うことが可能な光電センサを提供することを目的とする。
【課題を解決するための手段】
【０００７】
本発明の一態様に係る光電センサは、内部に収容空間が形成されているケースと、収容空間に配置され、光を出射する投光部と、収容空間に配置され、光を受ける受光部と、収容空間に配置され、一側部が投光部及び受光部と対向配置され、他側部がケースの外部に向けられている導光部材と、を備えている。導光部材は、所定方向に延び、投光部から入射した光をケースの外部に導く投光側導光部と、所定方向に延び、且つ、所定方向と交差する方向において投光側導光部との間に隙間を空けて配置され、ケースの外部から入射した光を受光部に導く受光側導光部と、隙間を跨ぐように配置され、投光側導光部と受光側導光部とを連結する連結部と、を有している。隙間は、連結部側の端部に、投光部側に向かって寸法が漸次減少する縮小部が設けられている。
【０００８】
この態様によれば、投光側導光部と受光側導光部とは、両者の間の隙間を跨ぐ連結部により連結されている。このため、１つの導光部材により、所定方向における投光部に関する導光と受光部に関する導光とを行うことができる。
【０００９】
また、隙間は、連結部側の端部に、投光部側に向かって寸法が漸次減少する縮小部が設けられている。これにより、隙間を形成している導光部材の面が構成する境界面のうち、受光部側に光を反射させるような部分を、小さくすることができる。この結果、投光部から出射して導光部材の内部に入射した光が、隙間を形成している導光部材の面を境界面として無為に反射し、受光部に到達してしまうことを抑制できる。この結果、導光部材による導光を確実に行うことが可能となり、物体が無いにも関わらず物体が有ると誤検出してしまうことを抑制することができる。
【００１０】
上記態様において、縮小部は、互いに接続された２つの平面により構成されていてもよい。
【００１１】
この構成によれば、曲面を用いる場合と比較して縮小部を容易に構成しつつ、隙間を形成している導光部材の面が構成する境界面のうち、受光部側に光を反射させるような部分を、さらに小さくすることができる。
【００１２】
上記態様において、２つの平面は、鋭角を成すように互いに接続されていてもよい。
【００１３】
この態様によれば、隙間を形成している導光部材の面が構成する境界面のうち、受光部側に光を反射させるような部分を、さらに小さくすることができる。この結果、投光部から出射して導光部材の内部に入射した光が、隙間を形成している導光部材の面を境界面として無為に反射し、受光部に到達してしまうことをさらに確実に抑制できる。
【発明の効果】
【００１４】
本発明によれば、簡易な構成ながらも、導光部材による導光を確実に行うことが可能な光電センサを提供することができる。
【図面の簡単な説明】
【００１５】
【図１】実施形態に係る光電センサを示す斜視図である。
【図２】図１の光電センサを分解して示す斜視図である。
【図３】図１の光電センサを分解して示す斜視図である。
【図４】図２の導光部材を示す斜視図である。
【図５】図２の導光部材を示す斜視図である。
【図６】図４のＶＩ−ＶＩ断面を示す断面図である。
【図７】図２の遮光部材を示す斜視図である。
【図８】図２の遮光部材を示す斜視図である。
【図９】図１のＩＸ−ＩＸ断面を示す断面図である。
【図１０】図１のＩＸ−ＩＸ断面を示す断面図である。
【図１１】比較例に係る光電センサを示す断面図である。
【発明を実施するための形態】
【００１６】
添付図面を参照して、本発明の実施形態について説明する。各図において、同一の符号を付したものは、同一又は同様の構成を有する。
【００１７】
尚、本明細書では、図１に示されるように、後述する矢印Ｌ１で示される方向を「前」と称し、矢印Ｌ２で示される方向を「後」と称する。また、前方を向いた場合の左方を「左」と称し、右方を「右」と称する。さらに、上方を「上」と称し、下方を「下」と称する。尚、これらの方向の呼称は、本発明の使用態様を限定するものではない。
【００１８】
まず、図１を参照しながら、実施形態に係る光電センサ１の概要について説明する。図１は、光電センサ１を示す斜視図である。
【００１９】
光電センサ１は、ケース２と、ケーブル９３と、を備えている。ケース２は、第１ケース部材２１及び第２ケース部材２９を有している。第１ケース部材２１は、その本体部２２から前方に突出する突出部２３が形成されている。突出部２３は略円筒形状を呈しており、その内部は、仕切壁２６により投光側導光路２４と受光側導光路２５とに区分されている。投光側導光路２４には後述する導光部材３の出射面４５が配置され、受光側導光路２５には入射面５３が配置されている。
【００２０】
突出部２３の外周面には、螺子部２３ａが形成されている。螺子部２３ａは雄ねじであり、前後方向を軸方向とする螺旋形状を呈している。光電センサ１は、例えば、冶具に形成された貫通孔（不図示）に突出部２３が挿通し、その突出部２３の螺子部２３ａにナット（不図示）が螺合することにより、冶具に対して固定される。光電センサ１は、その出射面４５及び入射面５３が、検出領域（不図示）が存在する光電センサ１の前方を向くように配置される。
【００２１】
光電センサ１は、ケーブル９３を介して電力の供給を受け、出射面４５から光を出射する。この光は、例えば可視光を用いることができるが、物体の表面で反射されるものであれば、その波長等は限定されない。出射面４５から出射した光は、矢印Ｌ１で示されるように前方に向かって進行する。
【００２２】
一方、入射面５３には、矢印Ｌ２で示されるように前方から光が入射する。光電センサ１は、入射面５３に入射した光の量に対応する電気信号を生成するとともに、この電気信号に基づいて所定の演算を行う。
【００２３】
物体が検出領域に存在しない場合、入射面５３に入射する光の量は微少である。一方、物体が検出領域に存在している場合、出射面４５から出射した光が物体の表面で反射して光電センサ１を指向するため、入射面５３に入射する光の量が増加する。
【００２４】
このように、入射面５３に入射する光の量は、検出領域における物体の有無により異なる。光電センサ１は、この光量の差異に基づいて、物体の有無や、物体の表面状態等を検出する。例えば、光電センサ１は、入射面５３に入射する光の量と所定の閾値との比較に基づいて、検出領域における物体の有無を検出する。
【００２５】
次に、図２から図８を参照しながら、ケース２に収容される部品について説明する。図２及び図３は、光電センサ１を分解して示す斜視図である。図４及び図５は、導光部材３を示す斜視図である。図６は、図４のＶＩ−ＶＩ断面を示す断面図である。図７及び図８は、遮光部材６を示す斜視図である。
【００２６】
前述したように、ケース２は、第１ケース部材２１及び第２ケース部材２９を有している。図３に示されるように、第１ケース部材２１の本体部２２の後部には、凹部２２ａが形成されている。また、本体部２２の下端には、凹部２２ａに連通する切欠き２７が形成されている。第２ケース部材２９は、略平板形状を呈しており、厚さ方向に貫通する２つの孔２９ａが形成されている。第２ケース部材２９は、第１ケース部材２１の後方に配置され、前後方向において第１ケース部材２１と対向している。第２ケース部材２９が第１ケース部材２１の凹部２２ａを覆うことにより、第１ケース部材２１と第２ケース部材２９との間に収容空間が形成される。
【００２７】
図２及び図３に示されるように、ケース２の収容空間には、導光部材３と、遮光部材６と、基板７と、が配置されている。
【００２８】
導光部材３は、アクリルやガラス等、透光性を有する材料により形成されている。導光部材３は、投光側導光部４と、受光側導光部５と、連結部３１と、を有している。
【００２９】
図６に示されるように、投光側導光部４は、連結部３１から前方に突出する突出部４１と、後方に突出する４２と、を有している。連結部３１は、前後方向を厚さ方向とする略平板形状を呈している。突出部４１は、その前端に、平坦面である出射面４５を有している。また、突出部４２は、その後端に、曲面である入射面４３を有している。入射面４３は、凸レンズとなっており、後述する投光部７１から出射された光を投光側導光部４に集光する。突出部４１及び突出部４２は、いずれも前後方向に沿って突出している。このため、投光側導光部４は、入射面４３と出射面４５との間で直線的に延びている。
【００３０】
受光側導光部５は、連結部３１から前方に突出する突出部５１と、後方に突出する突出部５２と、を有している。突出部５１は、その前端に、平坦面である入射面５３を有している。また、突出部５２は、その後端に、曲面である出射面５５を有している。出射面５５は、凸レンズとなっており、受光側導光部５により導かれた光を、後述する受光部７３に集光する。
【００３１】
突出部５１が前後方向に沿って突出しているのに対し、突出部５２は前後方向に対して傾斜する方向に突出している。詳細には、突出部５２は、前後方向に対して略４５°を成して突出部４１から下方に離間する方向に突出している。このため、受光側導光部５は、連結部３１において屈曲するように、入射面５３から出射面５５にかけて延びている。
【００３２】
投光側導光部４と受光側導光部５とは、上下方向に互いに間隔を空けて配置され、連結部３１により連結されている。換言すれば、受光側導光部５は、投光側導光部４との間に隙間３５を形成するように、投光側導光部４の下方に配置される。
【００３３】
図６に示されるように、隙間３５は、連結部３１側の端部に縮小部３５ａが設けられている。縮小部３５ａは、平面３６及び平面３７により形成されている。平面３６と平面３７とは、鋭角を成すようにして互いに接続されている。したがって、隙間３５は、前端から縮小部３５ａまで一定寸法で延びるとともに、縮小部３５ａにおいて後方に向かって寸法が漸次減少している。
【００３４】
連結部３１の後面には、包囲壁３３が設けられている。図５に示されるように、包囲壁３３は連結部３１の後面から後方に突出しており、投光側導光部４の突出部４２と、受光側導光部５の突出部５２と、の上方、左方及び右方を包囲している。
【００３５】
遮光部材６は、非透光性の材料により形成されている。図７及び図８に示されるように、遮光部材６は、遮蔽壁６１と、周壁６３と、隔壁６９と、を有している。遮蔽壁６１は、前後方向を厚さ方向とする略平板形状を呈している。遮蔽壁６１の略中央部には貫通孔６２が形成されている。貫通孔６２は、断面形状が略円形であり、遮蔽壁６１を前後方向に貫通している。周壁６３は、遮蔽壁６１の周縁部に配置されて前後方向に延びており、遮蔽壁６１の前方に嵌入部６５を形成し、遮蔽壁６１の後方に凹部６６を形成している。周壁６３は、その後端に、平坦面である当接部６７を有している。
【００３６】
図２及び図３に示されるように、基板７は、略平板形状を呈している。図２に示されるように、基板７の前面には、投光部７１及び受光部７３が実装されている。投光部７１は、発光ダイオード等の発光素子（不図示）を含んでおり、受光部７３は、フォトダイオード等の受光素子（不図示）を含んでいる。受光部７３は、投光部７１と離間して、投光部７１の下方に配置されている。基板７の下端には、コネクタ９２を介してケーブル９３が接続されている。ケーブル９３は可撓性を有し、ケーブルホルダ９４を挿通している。ケーブルホルダ９４は、弾性を有する樹脂材料等により形成されており、ケーブル９３に追従するように変形することができる。
【００３７】
この他、ケース２の収容空間には、ホルダ９１及びプレート９５が配置されている。ホルダ９１及びプレート９５は、収容空間における導光部材３、遮光部材６及び基板７の固定に用いられる部材である。ホルダ９１は孔９１ａが形成されており、全体として略環状を呈している。プレート９５は略平板形状を呈しており、図３に示されるように、その後面には２つの突起９５ａが形成されている。
【００３８】
次に、図９を参照しながら、ケース２の収容空間における各部品の配置について説明する。図９は、図１のＩＸ−ＩＸ断面を示す断面図である。図９は、導光部材３の断面のハッチングを省略している。
【００３９】
光電センサ１の組立の際、導光部材３は、その一部が第１ケース部材２１の突出部２３内に挿入される。詳細には、投光側導光部４の突出部４１が、投光側導光路２４に挿入され、受光側導光部５の突出部５１が、受光側導光路２５内挿入される。突出部４１及び突出部５１は、いずれも、第１ケース部材２１の後方から、前後方向に沿って挿入される。このとき、導光部材３の隙間３５に、第１ケース部材２１の仕切壁２６が挿入される。
【００４０】
投光側導光路２４への投光側導光部４の挿入と、受光側導光路２５への受光側導光部５の挿入とが完了すると、出射面４５は投光側導光路２４の前端２４ａに配置され、入射面５３は受光側導光路２５の前端２５ａに配置される。これにより、第１ケース部材２１の突出部２３の前端において、出射面４５と入射面５３とが、仕切壁２６を挟んで上下方向に隣り合うように配置される。
【００４１】
ホルダ９１は、後方から導光部材３に取り付けられる。ホルダ９１は、導光部材３の包囲壁３３を孔９１ａに挿入させ、連結部３１の後面と前後方向に当接するように取り付けられる。
【００４２】
遮光部材６は、後方から導光部材３に取り付けられる。遮光部材６は、その嵌入部６５に、導光部材３の投光側導光部４の突出部４２を前方から嵌入させるように取り付けられる。導光部材３への遮光部材６の取り付けが完了すると、遮光部材６の隔壁６９が、投光側導光部４の突出部４２と、受光側導光部５の突出部５２と、の間に配置される。つまり、隔壁６９は、投光側導光部４と受光側導光部５とを上下方向に隔てる。
【００４３】
基板７は、後方から導光部材３に取り付けられる。詳細には、基板７は、導光部材３の包囲壁３３の内部に配置される。また、基板７は、その前面において、遮光部材６の当接部６７及びホルダ９１と、前後方向に当接するように配置される。遮光部材６の当接部６７が基板７の前面と当接することにより、基板７と導光部材３との前後方向における位置関係が規定される。
【００４４】
基板７が導光部材３に取り付けられると、コネクタ９２が第１ケース部材２１の凹部２２ａ内に配置され、ケーブルホルダ９４が第１ケース部材２１の切欠き２７と係合する。また、遮光部材６の凹部６６内に投光部７１が配置される。投光部７１は、周囲を周壁６３により囲まれるとともに、前方を遮蔽壁６１により遮蔽される。これにより、投光部７１は、遮蔽壁６１を挟んで導光部材３の入射面４３と前後方向に対向する。さらに、受光部７３は、導光部材３の出射面５５と前後方向に対向する。
【００４５】
プレート９５は、後方からホルダ９１及び基板７に取り付けられる。プレート９５は、その前面において、ホルダ９１の後端及び基板７の後面と当接するように配置される。
【００４６】
第２ケース部材２９は、後方から第１ケース部材２１に取り付けられる。第２ケース部材２９は、第１ケース部材２１の後端部と当接し、プレート９５を覆うように配置される。プレート９５の突起９５ａ（図３参照）は、第２ケース部材２９の孔２９ａ（図２、図３参照）に嵌入する。
【００４７】
以上の説明のように構成された光電センサ１は、ケーブル９３を介して電力の供給を受ける。投光部７１の発光素子は、電力の供給を受けて前方に光を出射する。当該光の一部は、矢印Ｌ３で示されるように、遮光部材６の貫通孔６２を通過した後、導光部材３の入射面４３に入射する。矢印Ｌ３は、投光部７１から出射した光の進行方向の１つを例示している。
【００４８】
入射面４３に入射した光は、投光側導光部４の内部４４に至る。投光側導光部４は、矢印Ｌ３で示されるように、その光の一部を、直接出射面４５まで導く。また、投光側導光部４は、光の他部を、境界面において反射させながら出射面４５まで導く。出射面４５は、後方から進行してきた光を前方の検出領域に向けて出射する。
【００４９】
一方、検出領域から進行してくる光は、矢印Ｌ４で示されるように、導光部材３の入射面５３に入射する。矢印Ｌ４は、入射面５３に入射する光の進行方向の１つを例示している。
【００５０】
入射面５３に入射した光は、受光側導光部５の内部５４に至る。受光側導光部５は、矢印Ｌ４で示されるように、その光の一部を、直接突出部５２まで導く。また、受光側導光部５は、光の他部を、境界面において反射させながら突出部５２まで導く。
【００５１】
前述したように、突出部５２は、前後方向に対して略４５°を成して突出部４１から下方に離間する方向に突出している。このため、突出部５２に至った光は、矢印Ｌ４で示されるように、突出部５２の境界面において反射しながら下方及び後方に導かれ、出射面５５に至る。当該光は出射面５５から出射し、受光部７３に至る。光電センサ１は、受光部７３が受けた光の量に基づいて、前述したように、検出領域における物体の有無や、物体の表面状態等を検出する。
【００５２】
次に、図１０及び図１１を参照しながら、導光部材３の縮小部３５ａの近傍における光の進行について説明する。図１０は、図１のＩＸ−ＩＸ断面を示す断面図であり、縮小部３５ａの近傍を拡大して示している。図１１は、比較例に係る光電センサ１Ａを示す断面図であり、図１のＩＸ−ＩＸ断面に相当する断面を示している。
【００５３】
図１１に示される比較例に係る光電センサ１Ａは、その導光部材３Ａが、実施形態に係る光電センサ１の導光部材３と異なる。詳細には、導光部材３Ａの隙間３５は、連結部３１側の端部に縮小部３５ａ（図１０参照）が設けられていない。光電センサ１Ａの構成のうち、光電センサ１の構成と同一のものには同一の符号を付して、その説明を省略する。
【００５４】
前述したように、実施形態に係る光電センサ１の導光部材３の縮小部３５ａは、平面３６及び平面３７により形成されている。図１０に示されるように、平面３６と平面３７とは鋭角を成すようにして互いに接続されており、その接続部分は後方に向けられている。また、平面３６と平面３７は、導光部材３の入射面４３よりも下方に配置され、いずれも前後方向に対して傾斜している。詳細には、平面３６は、その法線方向が前方且つ下方となるように傾斜し、平面３７は、その法線方向が前方且つ上方となるように傾斜している。
【００５５】
また、前述したように、導光部材３の隙間３５には、第１ケース部材２１の仕切壁２６が挿入配置されている。仕切壁２６の端部２６ａは、縮小部３５ａから離間している。
つまり、仕切壁２６の端部２６ａは、縮小部３５ａの平面３６及び平面３７と当接していない。
【００５６】
実施形態に係る光電センサ１では、投光部７１から出射して導光部材３の入射面４３に入射する光の一部は、矢印Ｌ３１で示されるように、前方且つ下方に向かって進行し、縮小部３５ａの平面３６に至る。当該光は、平面３６を境界面として反射し、矢印Ｌ３２で示されるように、投光側導光部４の突出部４１に導かれる。このように、縮小部３５ａの平面３６は、投光部７１から出射された光が受光部７３に到達するのを防いで、反射光が受光部７３に到達して誤検出が生じることを防止する。これにより、物体が無いにも関わらず物体が有ると誤検出してしまうことを抑制することができる。
【００５７】
一方、図１１に示されるように、比較例に係る導光部材３Ａの隙間３５には縮小部３５ａ（図１０参照）が設けられておらず、平面３９が設けられている。平面３９は、前方を法線方向とする面である。
【００５８】
比較例に係る光電センサ１Ａでは、投光部７１から出射して導光部材３の入射面４３に入射する光の一部は、矢印Ｌ３３で示されるように、前方且つ下方に向かって進行し、平面３９に至る。当該光は、矢印Ｌ３４で示されるように、平面３９を境界面として後方に反射し、その一部又は前部が受光部７３に到達する場合がある。このため、比較例に係る導光部材３Ａでは、投光部７１から出射された光が受光部７３に到達する場合があり、物体が無いにも関わらず物体が有ると誤検出してしまうおそれがある。
【００５９】
以上の説明のように、実施形態に係る光電センサ１は、内部に収容空間が形成されているケース２と、収容空間に配置され、光を出射する投光部７１と、収容空間に配置され、光を受ける受光部７３と、収容空間に配置され、一側部が投光部７１及び受光部７３と対向配置され、他側部がケース２の外部に向けられている導光部材３と、を備えている。導光部材３は、前後方向に延び、投光部７１から入射した光をケース２の外部に導く投光側導光部４と、前後方向に延び、且つ、上下方向において投光側導光部４との間に隙間３５を空けて配置され、ケース２の外部から入射した光を受光部７３に導く受光側導光部５と、隙間３５を跨ぐように配置され、投光側導光部４と受光側導光部５とを連結する連結部３１と、を有している。隙間３５は、連結部３１側の端部に、投光部７１側に向かって寸法が漸次減少する縮小部３５ａが設けられている。
【００６０】
この態様によれば、投光側導光部４と受光側導光部５とは、両者の間の隙間３５を跨ぐ連結部３１により連結されている。このため、１つの導光部材３により、前後方向における投光部７１に関する導光と受光部７３に関する導光とを行うことができる。
【００６１】
また、隙間３５は、連結部３１側の端部に、投光部７１側に向かって寸法が漸次減少する縮小部３５ａが設けられている。これにより、隙間３５を形成している導光部材３の面が構成する境界面のうち、投光部７１側に光を反射させるような部分を、小さくすることができる。この結果、投光部７１から出射して導光部材３の内部に入射した光が、隙間３５を形成している導光部材３の面を境界面として無為に反射し、受光部７３に到達してしまうことを抑制できる。この結果、導光部材による導光を確実に行うことが可能となり、物体が無いにも関わらず物体が有ると誤検出してしまうことを抑制することができる。
【００６２】
また、縮小部３５ａは、互いに接続された２つの平面３６，３７により構成されている。この態様によれば、曲面を用いる場合と比較して縮小部３５ａを容易に構成しつつ、隙間３５を形成している導光部材３の面が構成する境界面のうち、受光部７３側に光を反射させるような部分を、さらに小さくすることができる。
【００６３】
また、２つの平面３６，３７は、鋭角を成すように互いに接続されている。この態様によれば、隙間３５を形成している導光部材３の面が構成する境界面のうち、受光部７３側に光を反射させるような部分を、さらに小さくすることができる。この結果、投光部７１から出射して導光部材３の内部に入射した光が、隙間３５を形成している導光部材３の面を境界面として無為に反射し、受光部７３に到達してしまうことをさらに確実に抑制できる。
【００６４】
また、上記態様において、ケースは、隙間に挿入配置される仕切壁を有し、仕切壁の端部は、縮小部から離間している。仮に、仕切壁２６の端部２６ａと縮小部３５ａとが接触していると、縮小部３５ａにおける導光部材３の全反射条件が変化し、投光部７１から出射して導光部材３の内部に入射した光が、隙間を形成している導光部材３の面を境界面として無為に反射し、受光部７３に到達してしまうおそれがある。
【００６５】
仕切壁２６の端部２６ａが縮小部３５ａから離間している本実施形態によれば、縮小部３５ａにおいて導光部材３が空気と接する面を有する。この結果、投光部７１から出射して導光部材３の内部に入射した光が、隙間３５を形成している導光部材３の面を境界面として無為に反射し、受光部７３に到達してしまうことをさらに確実に抑制できる。
【００６６】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【符号の説明】
【００６７】
１…光電センサ、２…ケース、２６…仕切壁、２６ａ…端部、３…導光部材、３１…連結部、３５…隙間、３５ａ…縮小部、４…投光側導光部、５…受光側導光部、７１…投光部、７３…受光部
【図１】
2019160600.tif 000003
【図２】
2019160600.tif 000004
【図３】
2019160600.tif 000005
【図４】
2019160600.tif 000006
【図５】
2019160600.tif 000007
【図６】
2019160600.tif 000008
【図７】
2019160600.tif 000009
【図８】
2019160600.tif 000010
【図９】
2019160600.tif 000011
【図１０】
2019160600.tif 000012
【図１１】
2019160600.tif 000013